(57)【要約】【課題】すり抜けシーン及びすれ違いシーンである支援対象シーンでの乗員の安心及び安全を確保する運転支援装置の提供。【解決手段】自車両において乗員の運転を支援する運転支援装置は、自車両の周辺空間における物体状態を表して物体同士の位置関係を定義する周辺空間マップを取得し（Ｓ１０２）、取得された周辺空間マップに基づいて支援対象シーンでの自車両の進行可否を判定し（Ｓ１０３）、支援対象シーンにおいて自車両を案内するガイドを、取得された周辺空間マップに基づいて生成し、その際に支援対象シーンでの自車両に対する障害物とガイドとの周辺空間マップにおける相対位置を基準位置情報に従って調整し（Ｓ１０４）、自車両は進行可と判定された場合に、生成された前記ガイドに従って乗員による自車両の操舵を支援し（Ｓ１０５）、操舵支援中に自車両が通った実軌跡とガイドとのずれ度に応じて基準位置情報を更新する（Ｓ１０７，Ｓ１０８）。【選択図】図１０
2018158709.tif 000002
【特許請求の範囲】
【請求項１】
自車両（２）において乗員の運転を支援する運転支援装置（１）であって、
前記自車両の周辺空間（４）における物体状態を表して物体同士の位置関係を定義する周辺空間マップ（６）を、取得するマップ取得ユニット（Ｓ１０２，Ｓ３１０２）と、
すり抜けシーン及びすれ違いシーンのうち少なくとも一方である支援対象シーンでの前記自車両の進行可否を、前記マップ取得ユニットにより取得された前記周辺空間マップに基づいて判定する進行判定ユニット（Ｓ１０３，Ｓ４１０３）と、
前記支援対象シーンにおいて前記自車両を案内するガイド（７）を、前記マップ取得ユニットにより取得された前記周辺空間マップに基づいて生成するガイド生成ユニットであって、前記支援対象シーンでの前記自車両に対する障害物（４Ａ，４Ｂ）と前記ガイドとの前記周辺空間マップにおける相対位置を基準位置情報（Ｉｂ）に従って調整するガイド生成ユニット（Ｓ１０４，Ｓ２１０４，Ｓ３１０４）と、
前記進行判定ユニットにより前記自車両は進行可と判定された場合に、前記乗員による前記自車両の操舵を、前記ガイド生成ユニットにより生成された前記ガイドに従って支援する操舵支援ユニット（Ｓ１０５，Ｓ２１０５，Ｓ３１０５）と、
前記操舵支援ユニットによる操舵支援中に前記自車両が通った実軌跡（８）と、前記ガイド生成ユニットにより生成された前記ガイドとのずれ度に応じて、前記基準位置情報を更新する基準更新ユニット（Ｓ１０７，Ｓ１０８，Ｓ３１０８，Ｓ４１１０，Ｓ４１１１）とを、備える運転支援装置。
【請求項２】
前記ガイド生成ユニット（Ｓ３１０４）は、前記障害物と前記ガイドとの相対位置を、前記支援対象シーンにおける前記障害物の属性と対応した前記基準位置情報に従って調整し、
前記基準更新ユニット（Ｓ１０７，Ｓ３１０８，Ｓ４１１０，Ｓ４１１１）は、前記ガイド生成ユニットにて従う前記基準位置情報を、前記支援対象シーンにおける前記障害物の属性と関連付けて更新する請求項１に記載の運転支援装置。
【請求項３】
前記操舵支援ユニット（Ｓ３１０５）は、前記ガイドから外れる操舵に対して与える反力（Ｆ）を、前記支援対象シーンにおける前記障害物の属性に応じた前記基準位置情報に従って調整する請求項２に記載の運転支援装置。
【請求項４】
前記操舵支援ユニット（Ｓ１０５，Ｓ２１０５，Ｓ３１０５）は、前記ガイドから外れる操舵に対して与える反力（Ｆ）を、前記支援対象シーンにおける前記障害物の属性に応じて調整する請求項１又は２に記載の運転支援装置。
【請求項５】
前記ガイド生成ユニット（Ｓ３１０４）は、前記障害物と前記ガイドとの相対位置を、前記支援対象シーンにおける前記自車両の外部環境状態と対応した前記基準位置情報に従って調整し、
前記基準更新ユニット（Ｓ１０７，Ｓ３１０８，Ｓ４１１０，Ｓ４１１１）は、前記ガイド生成ユニットにて従う前記基準位置情報を、前記支援対象シーンにおける前記自車両の外部環境状態と関連付けて更新する請求項１〜４のいずれか一項に記載の運転支援装置。
【請求項６】
前記進行判定ユニット（Ｓ４１０３）には、進行可否の判定基準（Ｄｔｈ）が与えられ、
前記基準更新ユニット（Ｓ１０７，Ｓ３１０８，Ｓ４１１０，Ｓ４１１１）は、前記操舵支援ユニット（Ｓ３１０５）による操舵支援に対してすり抜け又はすれ違いが拒絶された場合に、前記進行判定ユニットが進行可の判定を下し難くなる側に前記判定基準を更新する請求項１〜５のいずれか一項に記載の運転支援装置。
【請求項７】
前記進行判定ユニットには、前記支援対象シーンにおける前記障害物の属性と対応した前記判定基準が与えられ、
前記基準更新ユニットは、前記進行判定ユニットでの前記判定基準を、前記支援対象シーンにおける前記障害物の属性と関連付けて更新する請求項６に記載の運転支援装置。
【請求項８】
前記進行判定ユニットには、前記支援対象シーンにおける前記自車両の外部環境状態と対応した前記判定基準が与えられ、
前記基準更新ユニットは、前記進行判定ユニットでの前記判定基準を、前記支援対象シーンにおける前記自車両の外部環境状態と関連付けて更新する請求項６又は７に記載の運転支援装置。
【請求項９】
前記進行判定ユニット（Ｓ１０３，Ｓ４１０３）が進行不可の判定を下した場合には、前記自車両の停止を指示する自車両停止指示と、前記ガイドの生成を停止するガイド生成停止とのうち、少なくとも一方を実行する停止ユニット（Ｓ１０９，Ｓ２１０９）を、さらに備える請求項１〜８のいずれか一項に記載の運転支援装置。
【発明の詳細な説明】
【技術分野】
【０００１】
本発明は、運転支援装置に関する。
【背景技術】
【０００２】
特許文献１に開示されるように、自車両において乗員の運転を支援する運転支援装置は、一部の車両に搭載されるようになってきている。
【先行技術文献】
【特許文献】
【０００３】
【特許文献１】特開２０１７−７７８２９号公報
【発明の概要】
【発明が解決しようとする課題】
【０００４】
さて近年、運転支援装置をうまく機能させるための制約条件は比較的多くなっていることから、その機能を乗員は上手に活用し切れていない。また例えば、日常運転をする乗員の中には以下のシーンにて、自車両の運転に対する苦手意識や、恐怖の体験又は経験を持つ乗員が存在している。
【０００５】
（１）  右折待ちする他車両側方のすり抜けシーン、又は道幅の狭い若しくは細い狭小路での対向他車両とのすれ違いシーンでは、すり抜け又はすれ違いの可能な間隔があるのに乗員が自車両を進行させないと、自車両が他車両に迷惑を掛けるおそれがある。あるいは、それらのシーンでは、すり抜け又はすれ違いの可能な間隔がないのに乗員が自車両を進行させてしまうと、自車両が他車両と衝突するおそれが生じる。
【０００６】
（２）  狭小路での他車両側方のすり抜けシーン、又は狭小路での対向他車両とのすれ違いシーンでは例えば、電柱、ガードレール、縁石、側壁、歩行者、自転車若しくはバイク等といった側方物の位置や、路肩若しくは歩道等といった道路側縁の位置を乗員が把握できないことで、自車両が幅寄せられないと、すり抜け又はすれ違いのできなくなるおそれがある。あるいは、それらのシーンでは、道路側縁である路肩での側溝の位置又は側方物の位置を把握できないことで、自車両が幅寄せし過ぎてしまうと、路肩から側溝への踏み外し又は側方物との接触を招くおそれがある。
【０００７】
（３）  路上の落下物若しくは駐停車車両を回避しながらのすり抜けシーン、又はそうした回避をしながらの対向他車両とのすれ違いシーンでは、乗員による見落としや車幅の認識不足となることで、当該回避に必要な操舵が行われないと、自車両が落下物若しくは駐停車車両と衝突するおそれが生じる。あるいは、それらのシーンのうち特にすれ違いシーンでは、車幅の認識が不十分となることで、必要以上に大きく回避する操舵が行われてしまうと、他車両に迷惑の掛かるおそれがある。
【０００８】
これらシーンのうち、すり抜けシーンに対して特許文献１の開示技術では、すり抜け対象となる障害物の側方にて目標通過点を自車両が通過するように、同車両を案内する目標操舵角が設定される。しかし、この目標通過点は、自車両の車幅を考慮しただけの所定位置となるため、自車両が障害物との間に確保する空間のサイズに、乗員感覚からのずれを生じさせるおそれがある。これは、障害物側方にて自車両の物理的に通過可能な領域が確保されていても、自車両及び障害物間の空間サイズに応じて実際にすり抜け又はすれ違いを許容可能か否かの感覚は、乗員毎に異なっているためである。したがって、こうした感覚のずれは、乗員に不安を感じさせるおそれがあった。
【０００９】
本開示は、以上説明した問題に鑑みてなされたものであって、その課題は、すり抜けシーン及びすれ違いシーンのうち少なくとも一方における乗員の安心及び安全を確保する運転支援装置を、提供することにある。
【課題を解決するための手段】
【００１０】
以下、課題を解決するための発明の技術的手段について、説明する。尚、特許請求の範囲及び本欄に記載された括弧内の符号は、後に詳述する実施形態に記載された具体的手段との対応関係を示すものであり、本開示の技術的範囲を限定するものではない。
【００１１】
上述の課題を解決するための本開示は、
自車両（２）において乗員の運転を支援する運転支援装置（１）であって、
自車両の周辺空間（４）における物体状態を表して物体同士の位置関係を定義する周辺空間マップ（６）を、取得するマップ取得ユニット（Ｓ１０２，Ｓ３１０２）と、
すり抜けシーン及びすれ違いシーンのうち少なくとも一方である支援対象シーンでの自車両の進行可否を、マップ取得ユニットにより取得された周辺空間マップに基づいて判定する進行判定ユニット（Ｓ１０３，Ｓ４１０３）と、
支援対象シーンにおいて自車両を案内するガイド（７）を、マップ取得ユニットにより取得された周辺空間マップに基づいて生成するガイド生成ユニットであって、支援対象シーンでの自車両に対する障害物（４Ａ，４Ｂ）とガイドとの周辺空間マップにおける相対位置を基準位置情報（Ｉｂ）に従って調整するガイド生成ユニット（Ｓ１０４，Ｓ２１０４，Ｓ３１０４）と、
進行判定ユニットにより自車両は進行可と判定された場合に、乗員による自車両の操舵を、ガイド生成ユニットにより生成されたガイドに従って支援する操舵支援ユニット（Ｓ１０５，Ｓ２１０５，Ｓ３１０５）と、
操舵支援ユニットによる操舵支援中に自車両が通った実軌跡（８）と、ガイド生成ユニットにより生成されたガイドとのずれ度に応じて、基準位置情報を更新する基準更新ユニット（Ｓ１０７，Ｓ１０８，Ｓ３１０８，Ｓ４１１０，Ｓ４１１１）とを、備える。
【００１２】
このような本開示によると、すり抜けシーン及びすれ違いシーンのうち少なくとも一方となる支援対象シーンでは、乗員に対して自車両の進行並びに操舵を支援することができる。具体的には、自車両の周辺空間における物体状態を表して物体同士の位置関係を定義する周辺空間マップの取得によれば、同空間のうち自車両の走行可能な領域が高精度に認識され得る。故に、支援対象シーンでの自車両の進行可否は、周辺空間マップに基づくことで、精確に判定され得る。しかも、進行可と判定された場合に乗員による自車両の操舵は、支援対象シーンにおいて案内するガイドとして、周辺空間マップに基づき生成されるガイドに従うことで、精確に支援され得る。これらによれば、支援対象シーンとして、すり抜けシーン及びすれ違いシーンのうち少なくとも一方における乗員の安心及び安全を、確保することが可能となる。
【００１３】
加えて本開示によると、支援対象シーンでの自車両に対する障害物とガイドとの周辺空間マップにおける相対位置は、所定の基準位置情報に従って調整される。ここで、操舵支援中に自車両が通った実軌跡のガイドとのずれ度に応じて基準位置情報が更新されることによれば、ガイドに従って自車両が障害物との間に確保する空間のサイズを、乗員感覚の反映された当該実軌跡でのサイズに近づけることができる。故に、支援対象シーンとしてのすり抜けシーン及びすれ違いシーンのうち少なくとも一方において、乗員へと与える安心感を高めることが可能となる。
【図面の簡単な説明】
【００１４】
【図１】第一実施形態による運転支援装置を示すブロック図である。
【図２】第一実施形態による運転支援装置の周辺環境認識センサについて説明するための模式図である。
【図３】第一実施形態による周辺空間（ａ）及び周辺空間マップ（ｂ）について説明するための模式図である。
【図４】第一実施形態による周辺空間（ａ）及び周辺空間マップ（ｂ）について説明するための模式図である。
【図５】第一実施形態による周辺空間（ａ）及び周辺空間マップ（ｂ）について説明するための模式図である。
【図６】第一実施形態による運転支援装置の作動を説明するための模式図である。
【図７】第一実施形態による運転支援装置の作動を説明するための模式図である。
【図８】第一実施形態による運転支援装置の作動を説明するための模式図である。
【図９】第一実施形態による運転支援装置の作動を説明するための模式図である。
【図１０】第一実施形態による運転支援装置の運転支援フローを示すフローチャートである。
【図１１】第一実施形態による運転支援装置の作動を説明するための模式図である。
【図１２】第一実施形態による運転支援装置の作動を説明するための模式図である。
【図１３】第一実施形態による運転支援装置の作動を説明するための模式図である。
【図１４】第一実施形態による運転支援装置の作動を説明するための模式図である。
【図１５】第二実施形態による運転支援装置の作動を説明するための模式図である。
【図１６】第二実施形態による運転支援装置の作動を説明するための模式図である。
【図１７】第二実施形態による運転支援装置の運転支援フローを示すフローチャートである。
【図１８】第二実施形態による運転支援装置の作動を説明するための模式図である。
【図１９】第三実施形態による運転支援装置の作動を説明するための模式図である。
【図２０】第三実施形態による運転支援装置の運転支援フローを示すフローチャートである。
【図２１】第四実施形態による運転支援装置の作動を説明するための模式図である。
【図２２】第四実施形態による運転支援装置の運転支援フローを示すフローチャートである。
【図２３】変形例の周辺環境認識センサについて説明するための模式図である。
【図２４】変形例の周辺環境認識センサについて説明するための模式図である。
【図２５】変形例の周辺環境認識センサについて説明するための模式図である。
【発明を実施するための形態】
【００１５】
以下、本開示の複数の実施形態を図面に基づいて説明する。尚、各実施形態において対応する構成要素について、重複する説明を省略する場合がある。各実施形態において構成の一部分のみを説明している場合、当該構成の他の部分については、先行して説明した他の実施形態の構成を適用することができる。また、各実施形態の説明において明示している構成の組み合わせばかりではなく、特に組み合わせに支障が生じなければ、明示していなくても複数の実施形態の構成同士を部分的に組み合わせることができる。そして、複数の実施形態及び変形例に記述された構成同士の明示されていない組み合わせも、以下の説明によって開示されているものとする。
【００１６】
（第一実施形態）
本発明の第一実施形態において図１に示す運転支援装置１は、車両２に適用されることで、乗員の運転を支援する。尚、以下では、運転支援装置１の適用される車両２を、自車両２という。
【００１７】
自車両２には、周辺環境を認識可能とするために、周辺環境認識センサ３が搭載されている。周辺環境認識センサ３は、図２及び図３〜５の各分図（ａ）に示す如き自車両２の周辺空間４にて存在する物体の状態を、視野角θで決まる検知範囲内にて検知する。ここで、周辺環境認識センサ３により検知される物体状態とは、例えば周辺空間４における物体の距離、方位、それら距離及び方位を含む位置、並びにサイズのうち、少なくとも一種類である。そこで周辺環境認識センサ３としては、ＬＩＤＡＲ（レーザレーダともいう）、カメラ（例えばステレオカメラ）、及び電波レーダ（例えばミリ波レーダ）等のうち、少なくとも一種類が自車両２に搭載されているとよい。
【００１８】
図１に示すように自車両２に搭載される運転支援装置１は、マイクロコンピュータを主体としたＥＣＵの少なくとも一つから、構成されている。運転支援装置１は、上述した周辺環境認識センサ３の検知情報と、例えばＣＡＮ（登録商標）等の車内ネットワーク５上にて処理される車速及び操舵角等といった車両関連情報とを組み合わせることで、周辺空間４における物体状態を図３〜５の各分図（ｂ）に示す如く表した周辺空間マップ６を、取得する。即ち周辺空間マップ６は、周辺空間４に存在する物体の距離、方位、それら距離及び方位を含む位置、並びにサイズのうち、少なくとも一種類を表す二次元又は三次元のマッピングデータとして取得される。これにより周辺空間マップ６は、自車両２を中心（即ち、図３〜５の各分図（ｂ）における０ｍ且つ０°の原点）とした種々の物体同士の位置関係を、定義したものとなる。ここで特に、自車両２における周辺環境認識センサ３の設置位置が予め把握されていれば、周辺空間マップ６内での移動に伴う自車両２の最外縁の予定軌道は予測的に算出可能となるので、自車両２を中心とした物体との相対位置関係は精確に定義され得る。故に、周辺空間マップ６に基づくことで運転支援装置１は、周辺空間４のうち自車両２が走行可能な領域と、同空間４のうち自車両２が走行不可の領域とを、高精度に識別することが可能となる。
【００１９】
尚、図３の分図（ｂ）では、障害物となる物体の存在確率が低いことで自車両２の走行が可能となる領域は白色にて図示されているのに対し、同確率が高いことで自車両２の走行が不可となる領域は灰色から黒色にて図示されている。但し、図４，５の分図（ｂ）では、図３の分図（ｂ）と同様に図示されている走行可能領域に対して、走行不可領域の図示が障害物（後述する４Ａ，４Ｂ）の存在箇所を除いて省略されている。
【００２０】
自車両２の乗員は、図４〜９に示すように同車両２に対する障害物４Ａ，４Ｂが周辺空間４のうち左前側側方と右前側側方とにそれぞれ存在し、それらの間隔Ｄ（図８，９を参照）が比較的狭い場合に、自車両２のすり抜け又はすれ違いが可能か否か、判断に迷いの生じる懸念がある。また、すり抜け又はすれ違い可能な間隔Ｄが確保され得る場合でも、如何ように操舵すれば自車両２が安全に走行可能か、乗員判断に迷いの生じる懸念がある。これら乗員判断の迷いは、例えば図４，６の如く右折待ちする他車両側方のすり抜けシーンや、図５，７〜９の如く道幅の狭い若しくは細い狭小路でのすり抜け又はすれ違いシーン等にて、発生する。ここで間隔Ｄとは、自車両２の車幅方向（即ち、左右方向又は横方向）における障害物４Ａ，４Ｂ間の直接的な離間距離だけでなく、自車両２の車長方向（即ち、前後方向）に沿って障害物４Ａ，４Ｂから前後に延長させた仮想線間の当該車幅方向における離間距離を、意味する。
【００２１】
上述した懸念に対して運転支援装置１は、周辺空間マップ６を活用した運転支援フローにより、自車両２と障害物４Ａ，４Ｂとの相対位置関係からすり抜け又はすれ違い可能な間隔Ｄがあるか否かに基づき進行可否を判断して、安全なすり抜け又はすれ違いを可能にする運転支援を実現する。ここで進行可否とは、すり抜け又はすれ違いの対象となる障害物４Ａ，４Ｂに接触若しくは衝突することなく、自車両２がすり抜け又はすれ違い可能か否かを、意味する。
【００２２】
具体的に図１に示す運転支援装置１は、メモリ１ａに記憶のコンピュータプログラムをプロセッサ１ｂにより実行することで、図１０に示す運転支援フローを機能的に実現する。尚、運転支援フローは、自車両２に設けられたパワースイッチのオン操作に応じて開始され、同スイッチのオフ操作に応じて終了する。また、運転支援フロー中の「Ｓ」とは、各ステップを意味する。
【００２３】
Ｓ１０１では、自車両２の運転シーンが運転支援を必要とする支援対象シーンであるか否かを、判定する。第一実施形態の支援対象シーンは、上述した障害物４Ａ，４Ｂ間でのすり抜けシーン及びすれ違いシーンの各々に、予設定されている。そこでＳ１０１では、自車両２の車速が低速（例えば１０ｋｍ／ｈ以下）の状況下、周辺空間４においてすり抜け予定箇所又はすれ違い予定箇所での間隔Ｄを決める左右両側の障害物４Ａ，４Ｂが検知等によって認識される運転シーンを、支援対象シーンであると判定する。このとき例えば、電柱、ガードレール、縁石、側壁、他車両（すれ違いシーンでの対向他車両を含む）、歩行者、自転車若しくはバイク等といった側方物と、路肩若しくは歩道等といった道路側縁（側溝を有する側縁を含む）とのうち、少なくとも一種類ずつが各障害物４Ａ，４Ｂとして認識可能となっている。そこで、障害物４Ａ，４Ｂのうち少なくとも一方が認識されないことで、Ｓ１０１にて否定判定が下される間は、Ｓ１０１が繰り返し実行される。これに対して、両障害物４Ａ，４Ｂが認識されることで、Ｓ１０１にて肯定判定が下されると、Ｓ１０２へ移行する。
【００２４】
Ｓ１０２では、周辺環境認識センサ３の検知情報と車内ネットワーク５上の車両関連情報とに基づき周辺空間マップ６を取得して、メモリ１ａに記憶する。このとき周辺空間マップ６は、処理タイミング毎に独立した瞬時情報に基づき取得されてもよいが、当該瞬時情報が時系列的に蓄積されてなる時系列データに基づき取得されるとさらによい。ここで、周辺空間４には静止物に限らず移動体も含まれることとなるので、そうした移動体に対する検知確度等の認識確度は瞬時情報の場合よりも時系列データの場合に高くなる。また時系列データの場合には、処理タイミング毎に周辺環境認識センサ３の検知情報が車両関連情報により補正されてから蓄積されていくことで、静止物でも移動体でも同一物体（即ち、本実施形態では同一障害物）の同定が可能となる。故に周辺空間マップ６は、時系列データを用いた場合には同一物体の同定結果を反映するように逐次更新されることで、時間連続性又は空間連続性を担保し得るのである。
【００２５】
こうしたＳ１０２に続くＳ１０３では、Ｓ１０１により支援対象シーンとして判定されたすり抜けシーン又はすれ違いシーンにおける自車両２の進行可否を、判定する。このとき、いずれの障害物４Ａ，４Ｂに対しても接触若しくは衝突しないで、自車両２のすり抜け又はすれ違い可能な閾値Ｄｔｈ以上の間隔Ｄ（図８，９を参照）が確保されると予測される場合には、自車両２は進行可との判定が下される。一方、確保される間隔Ｄは閾値Ｄｔｈ未満と予測される場合には、自車両２は進行不可との判定が下される。これらのことから進行可否の判定は、Ｓ１０２により取得されてメモリ１ａに記憶の周辺空間マップ６と、周辺環境認識センサ３による検知情報と、車内ネットワーク５上の車両関連情報とのうち、少なくとも一つに基づき実行される。また、Ｓ１０３での進行可否の判定基準となる閾値Ｄｔｈとして第一実施形態では、例えば工場出荷時等に予めメモリ１ａに記憶された固定の値が、与えられる。
【００２６】
Ｓ１０３にて進行可との判定が下された場合には、Ｓ１０４，Ｓ１０５を順次実行する。まずＳ１０４では、すり抜けシーン又はすれ違いシーンにおいて自車両２を案内するガイド７を、図４，５の分図（ｂ）の如く周辺空間マップ６に基づき生成する。このときガイド７は、Ｓ１０２により取得されてメモリ１ａに記憶の周辺空間マップ６のうち操舵支援の必要範囲において、自車両２が間隔Ｄ（図８，９を参照）を確保しつつ走行可能な予定軌道を表すように、生成される。また続くＳ１０５では、Ｓ１０４にて生成されたガイド７に従って、乗員による自車両２の操舵をすり抜けシーン又はすれ違いシーンにおいて支援する。このとき乗員へのガイド７の提示方法（換言すれば出力方法）としては、次の三つの態様のうちいずれかが採用される。
【００２７】
ガイド７の一態様による提示方法では、図６〜９に示すように、あたかも雪道を走るときの轍（わだち）の如く機能する電子轍７０により、自車両２における乗員の操舵が直接的に支援される。この提示方法では、自車両２の今から通るべき経路となるガイド７に沿って電子轍７０が設定されることで、ステアリングハンドルには図８，９の如き反力Ｆが与えられる。ここで特に反力Ｆは、周辺空間４において障害物４Ａ又は４Ｂへと近づくほど増大するように、且つ左右両側にて一致又は相違する当該増大傾向が固定されるように、与えられる。こうしたことから乗員は、ガイド７を外れるような操舵を行うと、ステアリングハンドルを通じて反力Ｆを受けることになるので、危険な状況には陥らないように支援され得る。
【００２８】
別態様による提示方法では、図１１に示すように、ガイド７と自車両２の位置とが例えばメータ等の表示装置７１に画像表示されることで、当該ガイド７に自車両２がならうように乗員の操舵が間接的に支援される。この提示方法では、自車両２の今から通るべき経路となるガイド７を模した画像７ａが表示されるのに対して、自車両２を模した画像２ａの相対位置と、各障害物４Ａ，４Ｂを模した画像４０Ａ，４０Ｂの相対位置とが、表示されることになる。これにより乗員は、ガイド７上をなぞるように自車両２を操舵することで、危険な状況には陥らないように支援され得る。
【００２９】
さらに別態様による提示方法は、図１２に示すようにメータ７２に配置されて実像表示されるランプ７３、又は図１３に示すようにヘッドアップディスプレイ（ＨＵＤ）の表示領域７４に虚像表示されるランプ７３を、ガイド７として機能させる。具体的には、ランプ７３の点灯又は点滅するパターンにより、操作すべきステアリングハンドルの操舵方向が指示されることで、当該パターンに自車両２がならうように乗員の操舵が間接的に支援される。この提示方法では、乗員はランプ７３の点灯又は点滅するパターンに合わせてステアリングハンドルを操舵することで、自車両２の今から通るべき経路となるガイド７に沿って自車両２を進行させることになるので、危険な状況には陥らないように支援され得る。
【００３０】
尚、Ｓ１０５によりガイド７に従って乗員の操舵を支援する提示方法としては、上述した三つ態様に限られるものではなく、それら態様のうち少なくとも二つずつを組み合わせることの他、例えば音声出力等によって、実現されてもよい。またＳ１０５は、ガイド７の生成範囲（即ち、操舵支援の必要範囲）のうち一部にて操舵支援が完了するまで、継続して実行される。
【００３１】
こうした操舵支援を実現するＳ１０５の実行後には、図１０に示すようにＳ１０６をさらに実行する。Ｓ１０６では、支援対象シーンが終了したか否かを、判定する。このとき、支援対象シーンが継続されているとしてＳ１０６により否定判定が下された場合には、Ｓ１０１に戻る。これに対して、支援対象シーンは終了したとしてＳ１０６により肯定判定が下されると、Ｓ１０７に移行する。
【００３２】
Ｓ１０７では、Ｓ１０５での操舵支援により提示されたガイド７に対して、当該操舵支援中に自車両２が図１４の如く実際に通った実軌跡８のずれ度を、判定する。このとき例えば、ガイド７に対する実軌跡８の最大若しくは平均のずれ幅が上限許容幅以下となる場合、又は当該ずれ幅の車幅に対するずれ比率が上限許容率以下となる場合等には、実軌跡８がガイド７に対して一致、即ちずれ度が実質０であるとの判定を下すことで、図１０の如くＳ１０１へと戻る。一方で例えば、ガイド７に対する実軌跡８の最大若しくは平均のずれ幅が上限許容幅を超える場合、又は当該ずれ幅の車幅に対するずれ比率が上限許容率を超える場合等には、実軌跡８のガイド７からのずれ有りとの判定を下すことで、Ｓ１０８へと移行する。
【００３３】
Ｓ１０８では、Ｓ１０７により確認されたガイド７及び実軌跡８間のずれ度に応じて、基準位置情報Ｉｂを更新する。ここで基準位置情報Ｉｂは、すり抜けシーン又はすれ違いシーンでの各障害物４Ａ，４Ｂに対して、周辺空間マップ６におけるガイド７の相対位置を規定している。この基準位置情報Ｉｂは、所定のデータ形式でメモリ１ａに記憶されており、今回のＳ１０８での更新後となる次回のＳ１０４にてガイド７を生成する際に、当該メモリ１ａから読み出される。その結果、次回のＳ１０４実行時点における障害物４Ａ，４Ｂに対してガイド７の相対位置は、更新された基準位置情報Ｉｂに従う位置となるように、周辺空間マップ６において調整される。即ち、次回のＳ１０４では、更新後の基準位置情報Ｉｂに従ってガイド７が生成されることになる。そこで今回のＳ１０８では、ガイド７からの実軌跡８のずれがＳ１０７での確認度合いよりも減少又は実質消失する相対位置を学習して、当該学習相対位置を規定するように基準位置情報Ｉｂを更新するのである。尚、こうしたＳ１０８の実行後には、Ｓ１０１へと戻る。
【００３４】
以上、Ｓ１０３にて進行可との判定が下された場合には当該進行可の状況を乗員に提示するＳ１０４〜Ｓ１０８について、説明した。これに対して以下では、Ｓ１０３にて進行不可との判定が下された場合に実行されるＳ１０９について、説明する。
【００３５】
Ｓ１０９では、自車両２の停止を指示する自車両停止指示と、ガイド７の生成を停止するガイド生成停止とのうち、少なくとも一方を実行することで、これ以上は自車両２が進行しないように、進行不可の状況を乗員へと提示する。これによっても乗員は、危険な状況には陥らないように支援され得る。尚、このＳ１０９の実行後には、Ｓ１０１へ戻る。
【００３６】
このように第一実施形態では、Ｓ１０２を実行する運転支援装置１の機能部分が「マップ取得ユニット」に相当し、Ｓ１０３を実行する運転支援装置１の機能部分が「進行判定ユニット」に相当し、Ｓ１０４を実行する運転支援装置１の機能部分が「ガイド生成ユニット」に相当する。また第一実施形態では、Ｓ１０５を実行する運転支援装置１の機能部分が「操舵支援ユニット」に相当し、Ｓ１０７，Ｓ１０８を実行する運転支援装置１の機能部分が「基準更新ユニット」に相当し、Ｓ１０９を実行する運転支援装置１の機能部分が「停止ユニット」に相当する。
【００３７】
ここまで説明した第一実施形態によると、すり抜けシーン及びすれ違いシーンの各々となる支援対象シーンでは、乗員に対して自車両２の進行並びに操舵を支援することができる。具体的には、自車両２の周辺空間４における物体状態を表して物体同士の位置関係を定義する周辺空間マップ６の取得によれば、同空間４のうち自車両２の走行可能な領域が高精度に認識され得る。故に、支援対象シーンでの自車両２の進行可否は、周辺空間マップ６に基づくことで、精確に判定され得る。しかも、進行可と判定された場合に乗員による自車両２の操舵は、支援対象シーンにおいて自車両２を案内するガイド７として、周辺空間マップ６に基づき生成されたガイド７に従うことで、精確に支援され得る。
【００３８】
このとき特に、運転に対する苦手意識や、恐怖の体験又は経験を持つ乗員に対しては、自車両２がこれから通る経路のガイド７を提示することで、乗員の判断及び操作を支援し得る。故に、苦手意識を解消して事故を未然に防止したり、恐怖の体験又は経験に対して安心感を与えることができる。以上のことから第一実施形態によれば、支援対象シーンとして、すり抜けシーン及びすれ違いシーンにおける乗員の安心及び安全を、確保することが可能となる。
【００３９】
加えて第一実施形態によると、支援対象シーンでの自車両２に対する障害物４Ａ，４Ｂとガイド７との周辺空間マップ６における相対位置は、所定の基準位置情報Ｉｂに従って調整される。ここで、操舵支援中に自車両２が通った実軌跡８のガイド７とのずれ度に応じて基準位置情報Ｉｂが更新されることによれば、ガイド７に従って自車両２が図８，９の如く障害物４Ａ，４Ｂとの間に確保する空間９Ａ，９Ｂのサイズを、乗員感覚の反映された当該実軌跡８でのサイズに近づけることができる。故に、支援対象シーンとしてのすり抜けシーン及びすれ違いシーンにおいて、乗員へと与える安心感を高めることが可能となる。
【００４０】
（第二実施形態）
第二実施形態は、第一実施形態の変形例である。
【００４１】
図１５に示すように障害物４Ａとして落下物が路上に存在する場合、自車両２が当該落下物を回避しながらのすり抜けは可能か否か、又はそうした回避をしながら障害物Ｂとしての対向他車両とのすれ違い（図示しない）は可能か否か、乗員判断に迷いの生じる懸念がある。また、図１６に示すように障害物４Ａとして駐停車車両が路上に存在する場合、自車両２が当該駐停車車両を回避しながらのすり抜け（図示しない）は可能か否か、又はそうした回避をしながら障害物Ｂとしての対向他車両とのすれ違いは可能か否か、乗員判断に迷いの生じる懸念がある。
【００４２】
そこで図１７に示すように、第二実施形態による運転支援フローのＳ１０１に代わるＳ２１０１では、上述した落下物若しくは駐停車車両を回避するすり抜けシーン及びすれ違いシーンの各々に、支援対象シーンが予設定されている。そこでＳ２１０１では、自車両２の車速が低速（例えば１０ｋｍ／ｈ以下）の状況下、周辺空間４においてすり抜け予定箇所又はすれ違い予定箇所での障害物４Ａ，４Ｂ、特に障害物４Ａとしての落下物若しくは駐停車車両が検知等によって認識される運転シーンを、支援対象シーンであると判定する。このとき例えば、電柱、ガードレール、縁石、側壁、他車両（すれ違いシーンでの対向他車両を含む）、歩行者、自転車若しくはバイク等といった側方物と、路肩若しくは歩道等といった道路側縁とのうち、少なくとも一種類が障害物４Ｂとして認識可能となっている。
【００４３】
こうしたＳ２１０１の実行後において運転支援フローのＳ１０４，Ｓ１０５に代わるＳ２１０４，Ｓ２１０５では、路上の落下物若しくは駐停車車両を乗員が見落としている等のために回避が必要となるすり抜けシーン又はすれ違いシーンにて、図１５，１６の如きガイド７の生成及び操舵支援が順次実行される。このときガイド７の生成及び操舵支援は、周辺空間マップ６に基づくことで、落下物若しくは駐停車車両を回避してすり抜け又はすれ違いを安全に完了させるように、実現され得る。ここでＳ２１０５にあっても、ガイド７の提示方法として、Ｓ１０５に準じた電子轍７０及び表示のうち少なくとも一種類が採用されることで、乗員が危険な状況には陥らないように支援され得る。
【００４４】
一方、Ｓ２１０１の実行後において運転支援フローのＳ１０９に代わるＳ２１０９では、落下物若しくは駐停車車両を回避してすり抜け又はすれ違いを可能にする閾値Ｄｔｈ以上には、予測される間隔Ｄが確保され得ないとして、進行不可の状況提示が実行される。その結果、自車両停止指示とガイド生成停止とのうち少なくとも一方が実行されることになるので、乗員が危険な状況には陥らないように支援され得る。尚、以上説明した以外の点で第二実施形態による運転支援フローは、第一実施形態による運転支援フローと実質同一である。
【００４５】
このように第二実施形態では、Ｓ２１０４を実行する運転支援装置１の機能部分が「ガイド生成ユニット」に相当し、Ｓ２１０５を実行する運転支援装置１の機能部分が「操舵支援ユニット」に相当し、Ｓ２１０９を実行する運転支援装置１の機能部分が「停止ユニット」に相当する。
【００４６】
ここまで説明した第二実施形態によると、落下物若しくは駐停車車両を回避するすり抜けシーン及びすれ違いシーンにあっても、第一実施形態と同様な作用効果を発揮することが可能である。
【００４７】
（第三実施形態）
第三実施形態は、第一実施形態の変形例である。
【００４８】
図１８，１９に示すように自車両２が各障害物４Ａ，４Ｂとの間に空ける空間９Ａ，９Ｂに対して、乗員が必要と感じるサイズについては、障害物４Ａ，４Ｂの特徴を表した属性（以下、単に障害物属性という）や、自車両２外部の環境状態（以下、単に外部環境状態という）にも依存して変動することが懸念される。ここで属性とは例えば、歩行者、自転車、バイク、普通自動車及び大型車両等といった物体（ここでは障害物４Ａ，４Ｂ）の種別と、自車両２に対する静止物又は移動体の相対速度等といった同物体の運動状態とのうち、少なくとも一種類である。また、そうした属性としての種別のうち歩行者については例えば、子供、老人及び若人等といった年齢的又は身長的な区別を意味する。さらに外部環境状態とは例えば、晴天、曇天、雨天及び降雪等の天候と、昼間及び夜間等の時間帯とのうち、少なくとも一種類である。
【００４９】
具体的には、図１８，１９の如く障害物４Ａ又は４Ｂがトラックといった大型車両である場合に多くの乗員には、障害物４Ａ又は４Ｂが小型の静止物である場合に比べて、空間９Ａ又は９Ｂを広く確保する傾向はある。また、障害物４Ａ又は４Ｂが歩行者としての子供若しくは老人である場合に多くの乗員には、障害物４Ａ又は４Ｂが小型の静止物である場合に比べて、空間９Ａ又は９Ｂを広く確保する傾向はある。さらに、晴天時に比べて雨天時又は降雪時に多くの乗員には、空間９Ａ又は９Ｂを広く確保する傾向がある。さらに、昼間に比べて夜間において多くの乗員には、空間９Ａ，９Ｂを広く確保する傾向がある。しかし、いずれの状況にあっても、全ての乗員が同じ傾向となるとは限らないし、全ての乗員が同じ広さを所望しているとも限らないし、それらの状況が組み合わされることで別の傾向が現れることも想定され得る。
【００５０】
そこで図２０に示すように、第三実施形態による運転支援フローのＳ１０８に代わるＳ３１０８では、直近のＳ３１０５（後に詳述）にて操舵支援されたすり抜けシーン又はすれ違いシーンでの障害物属性及び外部環境状態と関連付けて、基準位置情報Ｉｂをガイド７及び実軌跡８間のずれ度に応じた情報に更新する。ここで、基準位置情報Ｉｂと関連付けられる障害物属性は、メモリ１ａに記憶の周辺空間マップ６に基づき認識される。また、基準位置情報Ｉｂと関連付けられる外部環境状態は、例えば外部との通信情報、時計情報、ワイパのオンオフ情報、及び照度の検知結果等のうち、少なくとも一種類に基づき認識される。尚、障害物属性及び外部環境状態は予め定義されており、例えば工場出荷時等の初期状態では障害物属性及び外部環境状態の組毎に、基準位置情報Ｉｂのデフォルト情報が関連付けられてメモリ１ａに記憶されている。
【００５１】
また、第三実施形態による運転支援フローのＳ１０２に代わるＳ３１０２では、その実行後となる上述のＳ３１０７に向けて、障害物４Ａ，４Ｂを含む物体の属性を、周辺空間マップ６に追加する。このとき物体の属性は、周辺空間マップ６を構成する当該物体の状態（即ち、第一実施形態にて例示した距離、方位、位置及びサイズ等）と関連付けて、メモリ１ａに記憶される。
【００５２】
さらに、第三実施形態による運転支援フローのＳ１０４に代わるＳ３１０４では、その実行時点におけるすり抜けシーン又はすれ違いシーンでの障害物属性及び外部環境状態に対応した基準位置情報Ｉｂを、メモリ１ａから読み出す。ここで、読み出す基準位置情報Ｉｂと対応する障害物属性は、メモリ１ａに記憶の周辺空間マップ６に基づき認識される。また、読み出す基準位置情報Ｉｂと対応する外部環境状態は、例えば外部との通信情報、時計情報、ワイパのオンオフ情報、及び照度の検知結果等のうち、少なくとも一種類に基づき認識される。以上により、Ｓ３１０４にて生成されるガイド７の障害物４Ａ，４Ｂに対する相対位置は、過去のＳ３１０８により障害物属性及び外部環境状態と関連付けて更新された基準位置情報Ｉｂに従って、調整される。即ちＳ３１０４では、更新後の基準位置情報Ｉｂに従ってガイド７が生成されることになる。
【００５３】
またさらに、第三実施形態による運転支援フローのＳ１０５に代わるＳ３１０５では、電子轍７０の採用によりガイド７から外れる操舵に対して与える反力Ｆを、その実行時点におけるすり抜けシーン又はすれ違いシーンでの障害物属性に応じて調整する。このとき特に第三実施形態のＳ３１０５では、自車両２がガイド７に従うことで各障害物４Ａ，４Ｂとの間にて空間９Ａ，９Ｂを確保することになる左右両側での反力Ｆに、強弱の重みを可変設定する。具体的に自車両２の左右両側のうち、障害物属性に応じた基準位置情報Ｉｂに従って図１８の如く空間サイズの広くなる側では、図１９の如く空間サイズの狭くなる側よりも反力Ｆを強くするように、重みが付けられる。これにより乗員は、ステアリングハンドルを反力Ｆの強い側には操作し難くなるので、Ｓ３１０５での操舵支援によって当該強反力側では、図１８の如く広い空間サイズが確保され得る。尚、障害物属性に応じた基準位置情報Ｉｂに従って空間サイズの狭くなる側では、図１９の如く反力Ｆが弱められることになるが、障害物（同図では４Ａ）との接触又は衝突は回避されるように、ステアリングハンドルの操作範囲を制限可能な反力Ｆが与えられる。尚、以上説明した以外の点で第三実施形態による運転支援フローは、第一実施形態による運転支援フローと実質同一である。
【００５４】
このように第三実施形態では、Ｓ３１０２を実行する運転支援装置１の機能部分が「マップ取得ユニット」に相当し、Ｓ３１０４を実行する運転支援装置１の機能部分が「ガイド生成ユニット」に相当する。また第三実施形態では、Ｓ３１０５を実行する運転支援装置１の機能部分が「操舵支援ユニット」に相当し、Ｓ１０７，Ｓ３１０８を実行する運転支援装置１の機能部分が「基準更新ユニット」に相当する。
【００５５】
ここまで説明した第三実施形態によると、支援対象シーンにおいて障害物４Ａ，４Ｂとガイド７との相対位置は、障害物属性及び外部環境状態と関連付けた更新後の基準位置情報Ｉｂに従って、調整されることになる。これによれば、ガイド７に従って自車両２が障害物４Ａ，４Ｂとの間に確保する空間９Ａ，９Ｂのサイズを、障害物属性及び外部環境状態にも依存する乗員感覚まで反映した当該実軌跡８でのサイズに、近づけることができる。故に、支援対象シーンとしてのすり抜けシーン及びすれ違いシーンにおいて、高い安心感を乗員へと与える上で有利となる操舵支援の提供が可能である。
【００５６】
（第四実施形態）
第四実施形態は、第三実施形態の変形例である。
【００５７】
図２１に示すように、障害物４Ａ，４Ｂの間にて自車両２の物理的に通過可能な閾値Ｄｔｈ以上に間隔Ｄが確保され得ていても、実際にすり抜け又はすれ違いを許容可能か否かの感覚は乗員毎に異なっているため、操舵支援に拘わらず、すり抜け又はすれ違いの拒絶される事態が懸念される。
【００５８】
そこで図２２に示すように、第四実施形態による運転支援フローのＳ３１０５に続くＳ４１１０では、当該Ｓ３１０５による操舵支援に対してすり抜け又はすれ違いが拒絶されたか否かを、判定する。このとき、直前のＳ３１０５による操舵支援の開始から設定時間内に、すり抜け又はすれ違いの開始若しくは完了が確認されることで、否定判定が下された場合に運転支援フローでは、第一実施形態と同様なＳ１０６へと移行する。一方、操舵支援の開始から設定時間内に、すり抜け又はすれ違いの開始若しくは完了が確認されないことで、肯定判定が下された場合に運転支援フローでは、第四実施形態によるＳ４１１１へと移行する。
【００５９】
Ｓ４１１１では、次回のＳ４１０３（後に詳述）にて従う判定基準としての閾値Ｄｔｈを、直近のＳ３１０５にて操舵支援されたすり抜けシーン又はすれ違いシーンでの障害物属性及び外部環境状態と関連付けて、更新する。このとき第四実施形態のＳ４１１１では、直近のＳ３１０４によるガイド７（即ち、予定軌道）での図２１の如き間隔Ｄよりも、大きな閾値Ｄｔｈを設定する。これにより、次回のＳ４１０３にて進行可の判定を下し難くなる側に、メモリ１ａの閾値Ｄｔｈが学習されて更新される。ここで、閾値Ｄｔｈと関連付けられる障害物属性は、メモリ１ａに記憶の周辺空間マップ６に基づき認識される。また、閾値Ｄｔｈと関連付けられる外部環境状態は、例えば外部との通信情報、時計情報、ワイパのオンオフ情報、及び照度の検知結果等のうち、少なくとも一種類に基づき認識される。尚、第三実施形態と同様に第四実施形態でも障害物属性及び外部環境状態は予め定義されており、例えば工場出荷時等の初期状態では障害物属性及び外部環境状態の組毎に、閾値Ｄｔｈのデフォルト値が関連付けてメモリ１ａに記憶されている。また、こうしたＳ４１１１の実行後には、Ｓ１０１へと戻る。
【００６０】
こうした第四実施形態による運転支援フローのＳ１０３に代わるＳ４１０３では、その実行時点におけるすり抜けシーン又はすれ違いシーンでの障害物属性及び外部環境状態に対応した閾値Ｄｔｈを、メモリ１ａから読み出す。ここで、読み出す閾値Ｄｔｈと対応する障害物属性は、メモリ１ａに記憶の周辺空間マップ６に基づき認識される。また、読み出す閾値Ｄｔｈと対応する外部環境状態は、例えば外部との通信情報、時計情報、ワイパのオンオフ情報、及び照度の検知結果等のうち、少なくとも一種類に基づき認識される。以上により、Ｓ４１０３における自車両２の進行可否は、過去のＳ４１１１により障害物属性及び外部環境状態と関連付けて更新された閾値Ｄｔｈに基づいて、判定されることになる。尚、以上説明した以外の点で第四実施形態による運転支援フローは、第三実施形態による運転支援フローと実質同一である。
【００６１】
このように第四実施形態では、Ｓ４１０３を実行する運転支援装置１の機能部分が「進行判定ユニット」に相当し、Ｓ１０７，Ｓ３１０８，Ｓ４１１０，Ｓ４１１１を実行する運転支援装置１の機能部分が「基準更新ユニット」に相当する。
【００６２】
ここまで説明した第四実施形態によると、支援対象シーンにおいて進行可否の判定基準となる閾値Ｄｔは、操舵支援に対してすり抜け又はすれ違いの拒絶された場合に、進行可の判定を下し難くなる側へと更新される。これによれば、すり抜け又はすれ違いを許容するための進行可否判定基準となる閾値Ｄｔｈを、乗員感覚に近づけることができる。故に、支援対象シーンとしてのすり抜けシーン及びすれ違いシーンにおいて、乗員へと与える安心感をさらに高めることが可能となる。
【００６３】
しかも第四実施形態による閾値Ｄｔｈは、操舵支援に対してすり抜け又はすれ違いの拒絶された場合に、障害物属性及び外部環境状態と関連付けて更新される。これによれば、すり抜け又はすれ違いを許容するための進行可否判定基準となる閾値Ｄｔｈを、障害物属性及び外部環境状態にも依存する乗員感覚に、近づけることができる。故に、支援対象シーンとしてのすり抜けシーン及びすれ違いシーンにおいて、特に高い安心感を乗員へと与える上で有利となる操舵支援の提供が可能である。
【００６４】
（他の実施形態）
以上、複数の実施形態について説明したが、本開示はそれらの実施形態に限定して解釈されるものではなく、本開示の要旨を逸脱しない範囲内において種々の実施形態及び組み合わせに適用することができる。
【００６５】
変形例１による運転支援フローのＳ２１０１での支援対象シーンは、Ｓ１０１での支援対象シーンに追加（第一、第三及び第四実施形態）、又はＳ１０１での支援対象シーンから代替（第三及び第四実施形態）されていてもよい。変形例２による運転支援フローでは、Ｓ１０１，Ｓ２１０１により判定される支援対象シーンから、すり抜けシーンとすれ違いシーンとのうち一方が外されていてもよい。
【００６６】
変形例３による運転支援フローでは、Ｓ３１０８により基準位置情報Ｉｂと関連付けられる対象から、障害物属性と外部環境状態とのうち一方が外されていてもよい。この場合にＳ３１０４では、障害物属性と外部環境状態とのうち他方に対応した基準位置情報Ｉｂがメモリ１ａから読み出されて、周辺空間マップ６における障害物４Ａ，４Ｂとガイド７との相対位置調整に利用される。
【００６７】
変形例４による運転支援フローのＳ３１０５では、障害物属性に応じて予め固定された基準位置情報Ｉｂに従って空間サイズが広くなる側での反力Ｆを強くするように、左右両側での反力Ｆの重みが設定されてもよい。変形例５による運転支援フローのＳ１０５，Ｓ２１０５では、電子轍７０が採用される場合に、Ｓ３１０５に準じた反力Ｆの重み設定が実行されてもよい。但し、この場合には、障害物属性に応じて予め固定された基準位置情報Ｉｂに従って空間サイズが広くなる側での反力Ｆを強くするように、左右両側での反力Ｆの重みが設定されるとよい。尚、これら変形例４，５の具体例としては、例えば歩行者又は移動体等の特定障害物側にて空間９Ａ又は９Ｂが広く確保されるように、当該特定障害物側にて反力Ｆを強くする重み等が付けられる。
【００６８】
変形例６による運転支援フローのＳ３１０５では、Ｓ１０５，Ｓ２１０５に準じて増大傾向が固定の反力Ｆを与える電子轍７０が、ガイド７の提示方法として採用されてもよい。この場合、Ｓ１０５，Ｓ２１０５に準じた表示のうち少なくとも一種類も、Ｓ３１０５でのガイド７の提示方法として併せて採用されてもよい。変形例７による運転支援フローのＳ３１０５では、ガイド７の提示方法としてＳ１０５，Ｓ２１０５に準じた表示のうち少なくとも一種類が、反力Ｆに可変の重みを付ける電子轍７０に加えて又は代えて、採用されてもよい。
【００６９】
変形例８による運転支援フローでは、Ｓ１０３による進行可否の判断基準として、乗員により可変入力される閾値Ｄｔｈが利用されてもよい。変形例９による運転支援フローでは、Ｓ４１１１により閾値Ｄｔｈと関連付けられる対象から、障害物属性と外部環境状態とのうち一方が外されていてもよい。この場合にＳ４１０３では、障害物属性と外部環境状態とのうち他方に対応した閾値Ｄｔｈがメモリ１ａから読み出されて、進行可否判定に利用される。
【００７０】
変形例１０による運転支援フローでは、Ｓ１０３，Ｓ４１０３とＳ１０４，Ｓ２１０４，Ｓ３１０４との順番が入れ替えられてもよい。この場合、Ｓ１０３，Ｓ４１０３にて進行可の判定が下されることで、Ｓ１０５，Ｓ２１０５，Ｓ３１０５が実行される。変形例１１では、Ｓ１０６での否定判定から、Ｓ１０４，Ｓ２１０４，Ｓ３１０４へと戻るように、運転支援フローが変更されてもよい。この場合、Ｓ１０６での否定判定から戻ったＳ１０４，Ｓ２１０４，Ｓ３１０４では、操舵支援を受けて移動した自車両２の実際の位置に応じて、ガイド７が更新されるとよい。
【００７１】
周辺環境認識センサ３としては、ＬＩＤＡＲ、カメラ及びレーダが先の第一実施形態において例示されているが、変形例１２の周辺環境認識センサ３には、例えばソナー等が追加されていてもよい。これは、自車両２が検知対象に近接した状況下、先に例示された周辺環境認識センサ３の単独によっては当該検知対象の自車両２に対する近接側端部が検知範囲外となった場合に、追加のソナー等を併用することで、自車両２を検知対象と接触又は衝突させないように乗員へと警告することが有効となるからである。
【００７２】
具体的には、図２３に示すように周辺環境認識センサ３の検知範囲を規定する視野角θには、限界（同図は０°＜θ＜１８０°の場合）がある。そのため、周辺空間４において自車両２が検知対象の障害物４Ａ，４Ｂに距離Ｌ以内まで近接した場合、当該障害物４Ａ，４Ｂの全体まで検知することが不能となる懸念がある。ここで距離Ｌは、自車両２の車幅Ｗ及びその余裕幅Δと、周辺環境認識センサ３の視野角θとを用いた計算式  Ｌ＝［（Ｗ＋Δ）／２］／［ｔａｎ（θ／２）］  にて表される。故に、計算式から予め想定可能な距離Ｌ以内まで自車両２が障害物４Ａ，４Ｂに近接した場合には、変形例１２によりソナー等で補うことが有効となるのである。
【００７３】
また変形例１２に代わる変形例１３では、複数の周辺環境認識センサ３を図２４に示す隣接状態に並列配置して、それぞれの視野角θの合計が１８０°となるように設定することで、自車両２から距離Ｌ以内でも障害物４Ａ，４Ｂの全体を検知することが可能となる。あるいは変形例１２に代わる変形例１４では、複数の周辺環境認識センサ３を図２５に示す離間状態に並列配置して、それぞれの視野角θの合計が１８０°を超えるように設定することで、自車両２から距離Ｌ以内でも障害物４Ａ，４Ｂの全体を検知することが可能となる。
【符号の説明】
【００７４】
１  運転支援装置、２  自車両、３  周辺環境認識センサ、４  周辺空間、４Ａ，４Ｂ  障害物、５  車内ネットワーク、６  周辺空間マップ、７  ガイド、８  実軌跡、９Ａ，９Ｂ  空間、７０  電子轍、７１  表示装置、７２  メータ、７３  ランプ、Ｄ  間隔、Ｄｔｈ  閾値、Ｆ  反力、Ｉｂ  基準位置情報、Ｌ  距離、Ｗ  車幅、Δ  余裕幅、θ  視野角
【図１】
2018158709.tif 000003
【図２】
2018158709.tif 000004
【図３】
2018158709.tif 000005
【図４】
2018158709.tif 000006
【図５】
2018158709.tif 000007
【図６】
2018158709.tif 000008
【図７】
2018158709.tif 000009
【図８】
2018158709.tif 000010
【図９】
2018158709.tif 000011
【図１０】
2018158709.tif 000012
【図１１】
2018158709.tif 000013
【図１２】
2018158709.tif 000014
【図１３】
2018158709.tif 000015
【図１４】
2018158709.tif 000016
【図１５】
2018158709.tif 000017
【図１６】
2018158709.tif 000018
【図１７】
2018158709.tif 000019
【図１８】
2018158709.tif 000020
【図１９】
2018158709.tif 000021
【図２０】
2018158709.tif 000022
【図２１】
2018158709.tif 000023
【図２２】
2018158709.tif 000024
【図２３】
2018158709.tif 000025
【図２４】
2018158709.tif 000026
【図２５】
2018158709.tif 000027